(57)【特許請求の範囲】
【請求項１】
上下方向及び前後方向の各寸法より左右方向の寸法が長い角筒形状の胴部と、
上記胴部の内部空間を上記左右方向へ向かって開放する開口の周縁のうち隣接しない位置からそれぞれ延出された内フラップ及び外フラップと、を具備しており、
上記内フラップは、その外表面に開封済みを認識可能な表示が記されており、
上記外フラップは、上記内フラップの上記表示を含む上記外表面を覆っており、
上記内フラップは、その延出端に上記胴部の内部空間へ差し込み可能な差込片を有しており、
上記胴部は、上記胴部の一部を上記外フラップと共に切り離し可能な切断線を有しており、
上記差込片は、上記外フラップと共に切り離される上記胴部の一部と接着されていない包装箱。
【請求項２】
上記外フラップは、上記内フラップの上記表示を含まない上記外表面の一部に接着されている請求項１に記載の包装箱。
【請求項３】
上記外フラップは、上記表示を覆っている一部を切り離し可能な他の切断線を有している請求項２に記載の包装箱。
【請求項４】
上記他の切断線は、直線形状である請求項３に記載の包装箱。
【請求項５】
上記表示は、上記内フラップの外表面のうち延出端に近い位置にある請求項１から４のいずれかに記載の包装箱。
【請求項６】
上記表示は、開封日を記入可能な領域を有する請求項１から５のいずれかに記載の包装箱。
【請求項７】
上記胴部は、四角の筒形状であり、
上記内フラップ及び上記外フラップは、上記開口の周縁のうち対向する位置からそれぞれ延出されたものである請求項１から６のいずれかに記載の包装箱。
【請求項８】
当該包装箱は、複数の錠剤が封入されたＰＴＰシートが収容されるものである請求項１から７のいずれかに記載の包装箱。
【発明の詳細な説明】
【技術分野】
【０００１】
本発明は、包装箱に関し、特に錠剤が封入されたＰＴＰシートが収容されるに適した包装箱に関する。
【背景技術】
【０００２】
従来より、薬品などが収容される包装箱が知られている。この包装箱は、紙製のシートが六面体に形成されてなる（特許文献１，２）。これら包装箱において、開封の容易さや、開封済みの確認のし易さなどが求められている。
【先行技術文献】
【特許文献】
【０００３】
【特許文献１】特開２０００−１２８１５３号公報
【特許文献２】特開２００５−２９８０４９号公報
【発明の概要】
【発明が解決しようとする課題】
【０００４】
例えば、５錠又は７錠が２列に配置されて１０錠又は１４錠が１つのＰＴＰシートに封入されており、このＰＴＰシート１０枚が収容されるに適した包装箱は、上下方向及び前後方向の寸法より左右方向の寸法が長い細長な六面体のものである。特に包装箱の外表面のうち最大面積となる面が底面となる外形のものが、保管時の安定性において優れている。
【０００５】
薬局には、多数の錠剤の包装箱が保管されている。薬剤師は、保管されている多種の薬剤から、処方箋に記載された種類及び量の薬剤を選択して包装箱から取り出し、薬袋などに入れる。薬局においては、薬剤師の作業の効率や、保管スペースの効率などを考慮しつつ、多種の錠剤の包装箱が棚などに陳列されている。その陳列方法の一つとして、前述した細長な包装箱の小口面（左右方向の面）を正面に向けて、複数の包装箱が積み上げられて並べられている。
【０００６】
前述された包装箱は、小口面から開封可能であるが、開封した後も、開口を塞ぐフラップの差込片が内部空間へ差し込まれることにより、フラップが開口を塞いだ状態に保持される。そのため、開封済みの包装箱があるにも拘わらず、未開封の包装箱が新たに開封されるおそれがある。
【０００７】
本発明は、前述された事情に鑑みてなされたものであり、その目的は、細長な包装箱の左右方向の端面において、開封が容易に確認できる手段を提供することにある。
【課題を解決するための手段】
【０００８】
(1)  本発明に係る包装箱は、上下方向及び前後方向の各寸法より左右方向の寸法が長い角筒形状の胴部と、上記胴部の内部空間を上記左右方向へ向かって開放する開口の周縁のうち隣接しない位置からそれぞれ延出された内フラップ及び外フラップと、を具備する。上記内フラップは、その外表面に開封済みを認識可能な表示が記されている。上記外フラップは、上記内フラップの上記表示を含む上記外表面を覆っている。
【０００９】
内フラップを覆っている外フラップを開くと、開封済みが認識可能な表示が露出されるので、胴部の長手方向の端において開封が容易に確認できる。
【００１０】
(2)  好ましくは、上記内フラップは、その延出端に上記胴部の内部空間へ差し込み可能な差込片を有しており、上記外フラップは、上記内フラップの上記表示を含まない上記外表面の一部に接着されている。
【００１１】
外フラップと内フラップとの接着により胴部の開口が封止される。外フラップは、内フラップの表示には接着されていないので、当該表示を容易に外部へ露出させることができる。また、開封後に、内フラップの差込片を胴部の内部空間へ差し込むことにより、容易に胴部の開口を塞ぐことができる。
【００１２】
(3)  好ましくは、上記外フラップは、上記表示を覆っている一部を切り離し可能な第１切断線を有している。
【００１３】
上記構成によれば、第１切断線に沿って外フラップの一部を切り離すことにより、開封済みが認識可能な表示が容易に外部へ露出される。
【００１４】
(4)  好ましくは、上記第１切断線は、直線形状である。
【００１５】
(5)  好ましくは、上記胴部は、上記外フラップを切り離し可能な第２切断線を有する。
【００１６】
上記構成によれば、第２切断線に沿って外フラップを胴部から切り離すことによって、包装箱を容易に開封できる。
【００１７】
(6)  好ましくは、上記第２切断線は、上記胴部の一部を上記外フラップと共に切り離し可能なものである。
【００１８】
上記構成によれば、第２切断線に沿って切り離された胴部の一部に対応する空間が、外フラップの胴部からの切り離し、内フラップの移動のための指掛けとして機能する。
【００１９】
(7)  好ましくは、上記表示は、上記内フラップの外表面のうち延出端に近い位置にある。
【００２０】
上記構成によれば、内フラップが操作されるときにユーザーが触れる延出端の近くに表示があるので、認識しやすい。
【００２１】
(8)  好ましくは、上記表示は、開封日を記入可能な領域を有する。
【００２２】
上記構成によれば、胴部の長手方向の端において開封日が容易に確認できる。
【００２３】
(9)  好ましくは、上記胴部は、四角の筒形状であり、上記内フラップ及び上記外フラップは、上記開口の周縁のうち対向する位置からそれぞれ延出されたものである。
【００２４】
(10)  好ましくは、当該包装箱は、複数の錠剤が封入されたＰＴＰシートが収容されるものである。
【発明の効果】
【００２５】
本発明によれば、細長な包装箱の左右方向の端面において、開封が容易に確認できる。
【図面の簡単な説明】
【００２６】
【図１】図１は、本発明の実施形態にかかる包装箱１０を示す斜視図である。
【図２】図２は、包装箱１０が開封された状態を示す斜視図である。
【図３】図３は、包装箱１０から外フラップ２３の一部が切り離された状態を示す斜視図である。
【図４】図４は、包装箱１０の展開図である。
【図５】図５は、変形例に係る包装箱１０において外フラップ２３の一部が折り返される状態を示す斜視図である。
【発明を実施するための形態】
【００２７】
以下、本発明の好ましい実施形態を説明する。なお、本実施形態は本発明の一実施態様にすぎず、本発明の要旨を変更しない範囲で実施態様を変更できることは言うまでもない。
【００２８】
図１に示されるように、包装箱１０は、例えば、２列×５行の１０錠、又は２列×７行の１４錠の錠剤が封入されたＰＴＰシートが、１０枚程度が積載された状態で収容されるものである。
【００２９】
包装箱１０は、上下方向１０１及び前後方向１０２の各寸法より左右方向１０３の寸法が長い直方体である。包装箱１０は、図４に示されるシート２０が適宜折られて接着されることにより形成される。シート２０は、例えば紙や樹脂などからなる薄手の平らなものであるが、所望の形状に打ち抜かれたり折り曲げられたりすることができるものであって、形状を維持できる剛性及び衝撃を適度に緩衝できる弾性を有するものであれば、特に素材は限定されない。
【００３０】
包装箱１０は、胴部１１を有する。胴部１１は、上下方向１０１及び前後方向１０２の各寸法より左右方向１０３の寸法が長い縦断面が四角形の筒形状である。胴部１１の下壁１２及び上壁１３は、包装箱１０において最大面積の外表面を有する。下壁１２及び上壁１３の外表面は、長方形であり、その最大辺である左右方向１０３に沿った両縁において側壁１４，１５とそれぞれ連続している。側壁１４，１５は、下壁１２及び上壁１３を繋いでいる。側壁１４，１５の外表面は長方形である。
【００３１】
図４に示されるように、シート２０において、下壁１２、側壁１４、上壁１３、及び側壁１５は、順次連続している。上壁１３には、側壁１５が接着されるための接着片１６が連続している。接着片１６、下壁１２、側壁１４、上壁１３、及び側壁１５の各境界が山折りされ、接着片１６の外方に側壁１５が重ね合わされて接着片１６と側壁１５とが接着される。これにより、四角形の筒形状の胴部１１が形成されている。このように形成された胴部１１は、左右方向１０３を向く両端が開口している。
【００３２】
胴部１１において左右方向１０３を向く両端の開口の周縁のうち、上壁１３の縁には内フラップ２１，２２がそれぞれ連続して延出している。また、当該開口の周縁のうち、下壁１２の縁には外フラップ２３，２４がそれぞれ連続して延出している。各開口において、内フラップ２１と外フラップ２３とが対向位置にあり、内フラップ２２と外フラップ２４とが対向位置にある。内フラップ２１，２２及び外フラップ２３，２４は、対応する開口より若干小さな四角形の外表面を有する。
【００３３】
内フラップ２１は、上壁１３から延出した延出端に、胴部１１の内部空間へ差込可能な差込片２９が連続している。差込片２９は、内フラップ２１の前後方向１０２の寸法と同程度であって、内フラップ２１より外形が小さい舌形状である。
【００３４】
内フラップ２１は、その外表面に開封済みを認識可能な表示３０が記されている。表示３０は、背景が着色された概ね四角形状の領域に「開封済み」の文字が記入されたものである。表示３０は、内フラップ２１の外表面のうち延出端に近い位置、すなわち差込片２９に近い位置にある。表示３０の近傍には、開封月日を記入可能な領域３１（表示の一部）が設けられている。表示３０及び領域３１は、内フラップ２１の上下方向１０１の中央より差込片２９に近い位置にある。
【００３５】
外フラップ２３は、上下方向１０１におけるほぼ中央において前後方向１０２に沿った直線形状の切断線３２（第１切断線の一例）が形成されている。切断線３２は、いわゆるミシン目であり、直線形状の切り込みが間欠して連続したものである。外フラップ２３は、切断線３２に沿って一部を切り離し可能である。外フラップ２３の外表面において切断線３２より下壁１２に近い位置に、「切り取る」の文字及び矢印が記載されている。
【００３６】
外フラップ２３と下壁１２との境界には、切断線３３（第２切断線の一例）が形成されている。切断線３３は、いわゆるミシン目であり、線形の切り込みが間欠して連続したものである。切断線３３は、外フラップ２３と下壁１２との境界の前後方向１０２の両端に形成されており、当該境界の前後方向１０２の中央において、下壁１２の一部を囲むようにＵ字形状に湾曲している。外フラップ２３及び下壁１２の一部は、切断線３３に沿って下壁１２から切り離し可能である。切断線３３のＵ字形状の部分によって囲まれる下壁１２の一部分には、「開封口」及び「押す」の文字が記載されている。
【００３７】
胴部１１において左右方向１０３を向く両端の開口の周縁のうち、側壁１４，１５の縁にはフラップ２５〜２８がそれぞれ連続して延出している。各開口において、フラップ２５，２６が対向位置にあり、フラップ２７，２８が対向位置にある。各フラップ２５〜２８は、内フラップ２１，２２及び外フラップ２３，２４より小さな四角形のシートである。
【００３８】
胴部１１の一方の開口において、フラップ２７，２８が内方へ折り込まれ、その外方において内フラップ２２がフラップ２７，２８に重なるように折り込まれ、さらに内フラップ２２に重なるように外フラップ２４が折り込まれる。内フラップ２２と外フラップ２４とが接着されることにより、胴部１１の一方の開口が封止される。
【００３９】
胴部１１の他方の開口において、フラップ２５，２６が内方へ折り込まれ、その外方において内フラップ２１がフラップ２５，２６に重なるように折り込まれ、差込片２９がフラップ２５，２６より内方となるように差し込まれる。これにより、内フラップ２１が胴部１１の他方の開口を封止する。さらに、内フラップ２１に重なるように外フラップ２３が折り込まれる。これにより、外フラップ２３が、内フラップ２１の表示３０及び領域３１を含む外表面を覆う。外フラップ２３は、内フラップ２１の表示３０及び領域３１を含まない外表面の一部、すなわち内フラップ２１の外表面において上壁１３に近い領域に接着される。
【００４０】
［包装箱１０の使用例］
図１に示されるように、複数枚のＰＴＰシートが収容された包装箱１０は、例えば下壁１２を棚などの載置面に当接させて保管される。複数個の包装箱１０は、棚などに載置された一つの包装箱１０の上方に積み重ねるようにして載置される。複数の包装箱１０は、作業者を向く面の面積ができるだけ小さくなるように、外フラップ２３，２４により形成される外表面が作業者を向くようにして載置される。
【００４１】
包装箱１０を開封するときには、作業者は、下壁１２の一部、すなわち「開封口」を記載された箇所を押し込み、切断線３３に沿って下壁１２の一部を下壁１２の他の部分から切り離す。これにより、下壁１２に作業者が指を差し込むことができる開口が形成される。さらに切断線３３に沿って外フラップ２３を下壁１２から切り離すように左右方向１０３の外方へ移動させる。これにより、図２に示されるように、外フラップ２３が下壁１２から切り離されると共に、内フラップ２１の差込片２９がフラップ２５，２６の外方へ引き出されて、胴部１１の他方の開口が開く。このようにして包装箱１０が開封され、包装箱１０に収容されたＰＴＰシートが取り出し可能となる。
【００４２】
図３に示されるように、開封された包装箱１０は、内フラップ２１の差込片２９がフラップ２５，２６より内方へ差し込まれることにより、胴部１１の他方の開口が内フラップ２１により封止される。
【００４３】
下壁１２から切り離された外フラップ２３は、内フラップ２１に接着された状態である。内フラップ２１の外表面において表示３０及び領域３１においては、外フラップ２３と内フラップ２１とは接着されていない。したがって、外フラップ２３のうち、内フラップ２１と接着されていない一部分が、切断線３２に沿って折り返されると、表示３０及び領域３１が認識可能に露出される。
【００４４】
そして、図３に示されるように、切断線３２に沿って、外フラップ２３の一部分が切り離されると、外フラップ２３の残りの部分が内フラップ２１に接着された状態で包装箱１０に残り、切り離された外フラップ２３の一部分は、包装箱１０から離れる。これにより、内フラップ２１の外表面における表示３０及び領域３１が、常に外部から視認可能となる。
【００４５】
図３に示された状態の包装箱１０において、領域３１に開封された月日が書き込まれ、表示３０及び領域３１が作業者を向くようにして棚などに載置されることによって、作業者は、積み重ねられた複数の包装箱１０から、開封済みの包装箱１０を容易に確認することができる。
【００４６】
［本実施形態の作用効果］
本実施形態に係る包装箱１０によれば、内フラップ２１を覆っている外フラップ２３を外方へ折り返すように開くと、「開封済み」と記載された表示３０及び領域３１が露出されるので、胴部１１の長手方向（左右方向１０３）の端において、包装箱１０の開封及び開封日が容易に確認できる。
【００４７】
また、外フラップ２３は、内フラップ２１の表示３０及び領域３１には接着されていないので、表示３０及び領域３１を容易に外部へ露出させることができる。また、開封後に、内フラップ２１の差込片２９を胴部１１の内部空間へ差し込むことにより、容易に胴部１１の開口を塞ぐことができる。
【００４８】
また、切断線３２に沿って外フラップ２３の一部を切り離すことにより、表示３０及び領域３１が容易に外部へ露出される。
【００４９】
また、切断線３３に沿って外フラップ２３を胴部１１から切り離すことによって、包装箱１０を容易に開封できる。
【００５０】
また、切断線３３に沿って切り離された胴部１１の一部に対応する空間が、外フラップ２３の胴部１１からの切り離し、内フラップ２１の移動のための指掛けとして機能する。
【００５１】
また、内フラップ２１が操作されるときに作業者が触れる延出端の近くに表示３０があるので、表示３０を認識しやすい。
【００５２】
［変形例］
なお、前述された実施形態では、切断線３２に沿って外フラップ２３の一部が切り離されることにより、表示３０及び領域３１が外部へ露出されるが、外フラップ２３の一部は必ずしも切り離されなくてもよい。例えば図５に示されるように、内フラップ２１と上壁１３との境界にスリット形状の差込口３４が形成され、切断線３２を谷折り線として外フラップ２３の一部が谷折りされ、切断線３３により切り取られた下壁１２の一部分が差込口３４に差し込まれてもよい。これにより、外フラップ２３が二つ折りされた状態に保持されて、表示３０及び領域３１が外部へ露出される。
【００５３】
また、前述された実施形態では、内フラップ２１の外表面に表示３０及び領域３１が設けられているが、領域３１は必ずしも設けられていなくてもよい。すなわち、内フラップ２１の外表面には表示３０のみが設けられていてもよい。また、包装箱１０の外表面には、表示３０及び領域３１以外の他の記載があってもよいことは言うまでもない。例えば、収容されている内容物の一般名や商品名、数量、期限、製造者などが包装箱１０の外表面に記載されていてもよい。
【００５４】
また、包装箱１０の開封口は、外フラップ２３及び内フラップ２１により塞がれている胴部１１の他の開口に限定されない。例えば、胴部１１の一方の開口や、側壁１５と接着片１６との接着箇所などに更なる開封口が形成されていてもよい。
【００５５】
また、包装箱１０の外形は直方体に限定されず、同様に、胴部１１の縦断面の形状は四角形に限定されない。例えば、胴部１１の縦断面は五角形や六角形などであってもよいし、四角形の隅の一部がＲ加工された形状などであってもよい。また、内フラップ２１及び外フラップ２３は、必ずしも胴部１１の開口の周縁における対向位置にある必要はない。
【００５６】
また、切断線３２は、必ずしも直線形状に限定されず、Ｕ字形状のように湾曲されたものであってもよい。
【符号の説明】
【００５７】
１０・・・包装箱
１１・・・胴部
２１・・・内フラップ
２３・・・外フラップ
２９・・・差込片
３０・・・表示
３１・・・領域（表示の一部）
３２・・・切断線（第１切断線）
３３・・・切断線（第２切断線）
【図１】
0006712171.tif 000002
【図２】
0006712171.tif 000003
【図３】
0006712171.tif 000004
【図４】
0006712171.tif 000005
【図５】
0006712171.tif 000006